【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
Ｘ線発生部とＸ線検出部とを用い、被写体に対して複数の異なる角度からＸ線を照射して撮影された複数の投影画像からトモシンセシス画像を得るトモシンセシス撮影の制御装置であって、
再構成方式及びフィルタ設定の情報を含む再構成条件に基づいて前記複数の投影画像からトモシンセシス画像を再構成する再構成手段と、
階調条件に基づいて前記トモシンセシス画像の階調処理を行う階調処理手段と、
前記再構成条件及び前記階調条件を変更する設定手段と、
前記変更後の再構成条件に基づき再構成されたトモシンセシス画像に対する階調処理に、前記トモシンセシス画像の解析処理により得られる階調条件を用いるか否かを制御する制御手段と、を有し、
前記再構成条件における前記再構成方式及び前記フィルタ設定のいずれかが変更された場合、前記制御手段は、前記変更後の再構成条件に基づき再構成されたトモシンセシス画像の解析処理により得られる階調条件で前記トモシンセシス画像に対する階調処理を前記階調処理手段に実行させることを特徴とする制御装置。
【請求項２】
前記制御手段は、前記再構成条件の変更内容に基づいて前記変更後の階調条件を用いるか否かを制御することを特徴とする請求項１に記載の制御装置。
【請求項３】
前記再構成されたトモシンセシス画像の画素値に基づいて階調条件を取得する取得手段をさらに有し、
前記制御手段は、前記再構成条件のうち再構成方式が変更された場合には、前記変更後の再構成方式に基づき再構成されたトモシンセシス画像から前記取得手段により得られる階調条件に基づいて、階調処理を実行させることを特徴とする請求項１または２に記載の制御装置。
【請求項４】
前記制御手段は、前記再構成条件のうち再構成方式が変更されず再構成範囲が変更された場合には、前記変更後の階調条件に基づいて前記階調処理手段により階調処理を実行させることを特徴とする請求項１乃至３のいずれか１項に記載の制御装置。
【請求項５】
前記制御手段は、前記変更前の再構成条件及び階調処理条件に基づくトモシンセシス画像が生成済みか否かに基づいて、前記変更後の階調条件を用いるか否かを制御することを特徴とする請求項１乃至４のいずれか１項に記載の制御装置。
【請求項６】
前記再構成されたトモシンセシス画像の画素値に基づいて階調条件を取得する取得手段をさらに有し、
前記制御手段は、前記変更前の再構成条件及び階調処理条件に基づくトモシンセシス画像が生成済みである場合は、前記変更後の再構成条件で再構成されたトモシンセシス画像から得られる階調条件に基づいて、階調処理を実行させることを特徴とする請求項１乃至５のいずれか１項に記載の制御装置。
【請求項７】
前記再構成されたトモシンセシス画像の画素値に基づいて第一の階調条件を取得し、
前記設定手段は、前記第一の階調条件と異なる第二の階調条件及びあらかじめ設定された第一の再構成条件と異なる第二の再構成条件を設定し、
前記制御手段は、前記第二の再構成条件に基づき再構成されたトモシンセシス画像に対する階調処理に前記第一の階調条件と前記第二の階調条件のいずれを用いるかを、前記第一の再構成条件及び第二の再構成条件に基づいて制御することを特徴とする請求項１乃至６のいずれか１項に記載の制御装置。
【請求項８】
前記再構成されたトモシンセシス画像の画素値に基づいて階調条件を取得する取得手段をさらに有し、
前記制御手段は、前記再構成条件の変更内容に基づいて前記取得手段による階調条件を取得する処理を実行させない制御をすることを特徴とする請求項１乃至７のいずれか１項に記載の制御装置。
【請求項９】
前記制御手段は、前記投影画像の撮影に応じて前記再構成手段による再構成を開始し、前記再構成の完了に応じて前記階調処理手段による階調処理を実行させる自動制御をすることを特徴とする請求項１乃至８のいずれか１項に記載の制御装置。
【請求項１０】
前記制御手段は、前記自動制御が行われた後に、操作入力に応じて前記複数の投影画像に基づくトモシンセシス画像の再構成を再度実行させることを特徴とする請求項９に記載の制御装置。
【請求項１１】
前記制御手段は、前記投影画像の撮影に応じて前記再構成手段による再構成を開始し、前記再構成の完了に応じて前記階調処理手段による階調処理を実行させる自動制御をし、前記制御手段は、第一の再構成方式に基づく再構成処理を含む前記自動制御が行われた後に、前記設定手段により第二の再構成方式が設定された場合には、前記第二の階調条件が設定されていたとしても、当該第二の再構成方式に基づく再構成で得られるトモシンセシス画像に前記第一の階調条件に基づく階調処理を実行させることを特徴とする請求項７に記載の制御装置。
【請求項１２】
前記トモシンセシス画像の再構成が完了したことに応じて前記変更後の階調条件に基づく階調処理を実行させるか否かを判定する判定手段をさらに有し、
前記制御手段は前記判定結果に応じて階調処理を実行させることを特徴とする請求項１乃至１１のいずれか１項に記載の制御装置。
【請求項１３】
前記制御手段は、前記投影画像の撮影に応じて前記再構成手段による再構成を開始し、前記再構成の完了に応じて前記階調処理手段による階調処理を実行させる自動制御をし、前記判定手段はさらに、前記制御手段は、第一の再構成条件に基づく再構成処理を含む前記自動制御が行われた後に、前記設定手段により前記第一の階調条件と異なる第二の階調条件及び前記第一の再構成条件と異なる第二の再構成条件が設定された場合には、前記第一の階調条件に基づく階調処理を実行させるか否かを当該第一の再構成条件及び第二の再構成条件に基づいて判定することを特徴とする請求項７に記載の制御装置。
【請求項１４】
前記制御手段は、前記判定手段により再構成条件のうち再構成方式の変更がなく再構成範囲の変更があったと判定された場合には、前記第二の再構成条件に基づく再構成で得られるトモシンセシス画像を前記第二の階調条件で階調処理させることを特徴とする請求項１３に記載の制御装置。
【請求項１５】
前記制御手段は、前記判定手段により再構成方式の変更があったと判定された場合には、前記再度実行された再構成で得られるトモシンセシス画像を前記第一の階調条件で階調処理させることを特徴とする請求項１３に記載の制御装置。
【請求項１６】
前記再構成条件は、再構成方式および再構成範囲、再構成ピッチの少なくともいずれかの情報を含むことを特徴とする請求項１乃至１５のいずれか１項に記載の制御装置。
【請求項１７】
前記再構成条件に含まれる再構成方式は、シフト加算法、フィルタードバックプロジェクション、逐次近似再構成法のいずれかであることを特徴とする請求項１乃至１６のいずれか１項に記載の制御装置。
【請求項１８】
前記階調処理がされたトモシンセシス画像を表示部に表示させる表示制御手段をさらに有することを特徴とする請求項１乃至１７のいずれか１項に記載の制御装置。
【請求項１９】
請求項１乃至１８のいずれか１項に記載の制御装置と、
前記Ｘ線検出部と、
を有することを特徴とするＸ線撮影装置。
【請求項２０】
請求項１乃至１８のいずれか１項に記載の制御装置と、
前記Ｘ線検出部と、
前記Ｘ線発生部と、
表示部と、
を有することを特徴とするＸ線撮影システム。
【請求項２１】
Ｘ線発生部とＸ線検出部とを用い、被写体に対して複数の異なる角度からＸ線を照射して撮影された複数の投影画像からトモシンセシス画像を得るトモシンセシス撮影の制御方法であって、
再構成方式及びフィルタ設定の情報を含む再構成条件に基づいて前記複数の投影画像からトモシンセシス画像を再構成するステップと、
階調条件に基づいて前記トモシンセシス画像の階調処理を行うステップと、
前記再構成条件及び前記階調条件を変更するステップと、
前記変更後の再構成条件に基づき再構成されたトモシンセシス画像に対する階調処理に、前記トモシンセシス画像の解析処理により得られる階調条件を用いるか否かを制御するステップと、を有し、前記再構成条件における前記再構成方式及び前記フィルタ設定のいずれかが変更された場合、前記変更後の再構成条件に基づき再構成されたトモシンセシス画像の解析処理により得られる階調条件で前記トモシンセシス画像に対する階調処理を実行することを特徴とする制御方法。
【請求項２２】
請求項２１に記載の制御方法をコンピュータに実行させるためのプログラム。
【請求項２３】
Ｘ線発生部とＸ線検出部とを用い、被写体に対して複数の異なる角度からＸ線を照射して撮影された複数の投影画像からトモシンセシス画像を得るトモシンセシス撮影の制御装置であって、
再構成方式及びフィルタ設定の情報を含む再構成条件に基づいて前記複数の投影画像からトモシンセシス画像を再構成する再構成手段と、
階調条件に基づいて前記トモシンセシス画像の階調処理を行う階調処理手段と、
前記再構成条件及び前記階調条件を変更する設定手段と、
前記変更後の再構成条件に基づき再構成されたトモシンセシス画像に対する階調処理に、前記トモシンセシス画像の解析処理により得られる階調条件を用いるか否かを制御する制御手段と、を有し、
前記再構成条件における前記再構成方式及び前記フィルタ設定のいずれかが変更された場合、前記制御手段は、前記変更後の再構成条件に基づき再構成されたトモシンセシス画像の解析処理により得られる階調条件で前記トモシンセシス画像に対する階調処理を前記階調処理手段に実行させ、前記再構成条件における前記再構成方式、前記フィルタ設定、及びノイズ処理パラメータのいずれかが変更されず、再構成ピッチ、再構成枚数及び再構成の範囲のいずれかが変更された場合、前記制御手段は、前記変更後の階調条件で前記トモシンセシス画像に対する階調処理を前記階調処理手段に実行させることを特徴とする制御装置。
【請求項２４】
前記再構成方式及び前記フィルタ設定以外の再構成条件が変更された場合、前記制御手段は変更前の階調条件で前記トモシンセシス画像に対する階調処理を前記階調処理手段に実行させることを特徴とする請求項２３に記載の制御装置。
【請求項２５】
Ｘ線発生部とＸ線検出部とを用い、被写体に対して複数の異なる角度からＸ線を照射して撮影された複数の投影画像からトモシンセシス画像を得るトモシンセシス撮影の制御方法であって、
再構成方式及びフィルタ設定の情報を含む再構成条件に基づいて前記複数の投影画像からトモシンセシス画像を再構成するステップと、
階調条件に基づいて前記トモシンセシス画像の階調処理を行うステップと、
前記再構成条件及び前記階調条件を変更するステップと、
前記変更後の再構成条件に基づき再構成されたトモシンセシス画像に対する階調処理に、前記トモシンセシス画像の解析処理により得られる階調条件を用いるか否かを制御するステップと、を有し、前記再構成条件における前記再構成方式及び前記フィルタ設定のいずれかが変更された場合、前記変更後の再構成条件に基づき再構成されたトモシンセシス画像の解析処理により得られる階調条件で前記トモシンセシス画像に対する階調処理を実行し、前記再構成条件における前記再構成方式、前記フィルタ設定、及びノイズ処理パラメータのいずれかが変更されず、再構成ピッチ、再構成枚数及び再構成の範囲のいずれかが変更された場合、前記変更後の階調条件で前記トモシンセシス画像に対する階調処理を実行することを特徴とする制御方法。
【請求項２６】
請求項２５に記載の制御方法をコンピュータに実行させるためのプログラム。